【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
複数の図形イメージのデータを格納する第１の格納手段と、
前記図形イメージを画面上に仮配置するときの位置を示す付随データを、前記図形イメージそれぞれについて格納する第２の格納手段と、
前記各図形イメージの付随データを用いて、当該各図形イメージの重畳の度合いを算出する算出手段と、
前記算出手段での算出結果に基づいて、前記図形イメージが重畳するか否か判断する判断手段と、
前記判断手段で重畳すると判断された場合、前記各図形イメージをできるだけ重畳しないように相対的に移動させて画面上に配置し、一方、前記判断手段で重畳しないと判断された場合、前記各図形イメージを当該仮配置の位置のまま前記画面上に配置するイメージ配置手段と
を含むことを特徴とする図形作成装置。
【請求項２】
前記付随データは、前記各図形イメージを画面上に仮配置するときの位置と仮想的な奥行き方向距離とを示す値であることを特徴とする請求項１に記載の図形作成装置。
【請求項３】
前記付随データは、前記図形イメージが近景のものであるほど大きい値となるように重み付けされていることを特徴とする請求項２に記載の図形作成装置。
【請求項４】
前記算出手段は、前記仮配置される図形イメージそれぞれの付随データを加算した値と、前記図形イメージが仮配置された状態における付随データの値との差分値に基づいて、前記重畳の度合いを算出することを特徴とする請求項１乃至３のいずれかに記載の図形作成装置。
【請求項５】
前記判断手段で重畳すると判断された場合、前記イメージ配置手段は、前記各図形イメージを相対的に移動させたときに前記算出手段で算出される重畳の度合いが最小となるように、前記各図形イメージを相対的に移動させて配置することを特徴とする請求項１乃至４のいずれかに記載の図形作成装置。
【請求項６】
複数の図形イメージのデータを格納する第１の格納手段と、前記図形イメージを画面上に仮配置するときの位置を示す付随データを、前記図形イメージそれぞれについて格納する第２の格納手段とを備える図形作成装置における図形作成方法であって、
算出手段が、前記各図形イメージの付随データを用いて、当該各図形イメージの重畳の度合いを算出する算出ステップと、
判断手段が、前記算出ステップでの算出結果に基づいて、前記図形イメージが重畳するか否か判断する判断ステップと、
イメージ配置手段が、前記判断ステップで重畳すると判断された場合、前記各図形イメージをできるだけ重畳しないように相対的に移動させて画面上に配置し、一方、前記判断ステップで重畳しないと判断された場合、前記各図形イメージを当該仮配置の位置のまま前記画面上に配置するイメージ配置ステップと
を含むことを特徴とする図形作成方法。
【請求項７】
前記付随データは、前記各図形イメージを画面上に仮配置するときの位置と仮想的な奥行き方向距離とを示す値であることを特徴とする請求項６に記載の図形作成方法。
【請求項８】
前記付随データは、前記図形イメージが近景のものであるほど大きい値となるように重み付けされていることを特徴とする請求項７に記載の図形作成方法。
【請求項９】
前記算出ステップでは、前記仮配置される図形イメージそれぞれの付随データを加算した値と、前記図形イメージが仮配置された状態における付随データの値との差分値に基づいて、前記重畳の度合いを算出することを特徴とする請求項６乃至８のいずれかに記載の図形作成方法。
【請求項１０】
前記判断ステップで重畳すると判断された場合、前記イメージ配置ステップでは、前記各図形イメージを相対的に移動させたときに前記算出ステップで算出される重畳の度合いが最小となるように、前記各図形イメージを相対的に移動させて配置することを特徴とする請求項６乃至９のいずれかに記載の図形作成方法。
【請求項１１】
コンピュータを、
各図形イメージを画面上に仮配置するときの位置を示す付随データを用いて、当該各図形イメージの重畳の度合いを算出する算出手段、
前記算出手段での算出結果に基づいて、前記図形イメージが重畳するか否か判断する判断手段、
前記判断手段で重畳すると判断された場合、前記各図形イメージをできるだけ重畳しないように相対的に移動させて画面上に配置し、一方、前記判断手段で重畳しないと判断された場合、前記各図形イメージを当該仮配置の位置のまま前記画面上に配置するイメージ配置手段、
として機能させるためのプログラム。
【請求項１２】
請求項１１に記載のプログラムを格納した、コンピュータ読取り可能な記録媒体。
【手続補正２】
【補正対象書類名】明細書
【補正対象項目名】０００６
【補正方法】変更
【補正の内容】
【０００６】
本発明の図形作成装置は、複数の図形イメージのデータを格納する第１の格納手段と、前記図形イメージを画面上に仮配置するときの位置を示す付随データを、前記図形イメージそれぞれについて格納する第２の格納手段と、前記各図形イメージの付随データを用いて、当該各図形イメージの重畳の度合いを算出する算出手段と、前記算出手段での算出結果に基づいて、前記図形イメージが重畳するか否か判断する判断手段と、前記判断手段で重畳すると判断された場合、前記各図形イメージをできるだけ重畳しないように相対的に移動させて画面上に配置し、一方、前記判断手段で重畳しないと判断された場合、前記各図形イメージを当該仮配置の位置のまま前記画面上に配置するイメージ配置手段とを含む。
本発明の図形作成装置の一態様では、前記付随データは、前記各図形イメージを画面上に仮配置するときの位置と仮想的な奥行き方向距離とを示す値である。
本発明の図形作成装置の一態様では、前記付随データは、前記図形イメージが近景のものであるほど大きい値となるように重み付けされている。
本発明の図形作成装置の一態様では、前記算出手段は、前記仮配置される図形イメージそれぞれの付随データを加算した値と、前記図形イメージが仮配置された状態における付随データの値との差分値に基づいて、前記重畳の度合いを算出する。
本発明の図形作成装置の一態様では、前記判断手段で重畳すると判断された場合、前記イメージ配置手段は、前記各図形イメージを相対的に移動させたときに前記算出手段で算出される重畳の度合いが最小となるように、前記各図形イメージを相対的に移動させて配置する。
本発明の図形作成方法は、複数の図形イメージのデータを格納する第１の格納手段と、前記図形イメージを画面上に仮配置するときの位置を示す付随データを、前記図形イメージそれぞれについて格納する第２の格納手段とを備える図形作成装置における図形作成方法であって、算出手段が、前記各図形イメージの付随データを用いて、当該各図形イメージの重畳の度合いを算出する算出ステップと、判断手段が、前記算出ステップでの算出結果に基づいて、前記図形イメージが重畳するか否か判断する判断ステップと、イメージ配置手段が、前記判断ステップで重畳すると判断された場合、前記各図形イメージをできるだけ重畳しないように相対的に移動させて画面上に配置し、一方、前記判断ステップで重畳しないと判断された場合、前記各図形イメージを当該仮配置の位置のまま前記画面上に配置するイメージ配置ステップとを含む。
本発明の図形作成方法の一態様では、前記付随データは、前記各図形イメージを画面上に仮配置するときの位置と仮想的な奥行き方向距離とを示す値である。
本発明の図形作成方法の一態様では、前記付随データは、前記図形イメージが近景のものであるほど大きい値となるように重み付けされている。
本発明の図形作成方法の一態様では、前記算出ステップでは、前記仮配置される図形イメージそれぞれの付随データを加算した値と、前記図形イメージが仮配置された状態における付随データの値との差分値に基づいて、前記重畳の度合いを算出する。
本発明の図形作成方法の一態様では、前記判断ステップで重畳すると判断された場合、前記イメージ配置ステップでは、前記各図形イメージを相対的に移動させたときに前記算出ステップで算出される重畳の度合いが最小となるように、前記各図形イメージを相対的に移動させて配置する。
本発明のプログラムは、コンピュータを、各図形イメージを画面上に仮配置するときの位置を示す付随データを用いて、当該各図形イメージの重畳の度合いを算出する算出手段、前記算出手段での算出結果に基づいて、前記図形イメージが重畳するか否か判断する判断手段、前記判断手段で重畳すると判断された場合、前記各図形イメージをできるだけ重畳しないように相対的に移動させて画面上に配置し、一方、前記判断手段で重畳しないと判断された場合、前記各図形イメージを当該仮配置の位置のまま前記画面上に配置するイメージ配置手段、として機能させる。
本発明の記録媒体は、前記プログラムを格納した、コンピュータ読取り可能なものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】